(57)【特許請求の範囲】
【請求項１】
水道水の流入側配管が接続されたケーシングと、前記ケーシング内に配設され前記流入側配管から流入した水道水の全部又は一部の塩素を除去する筒状の塩素除去フィルタと、前記ケーシングに接続され水道水が流出する流出側配管と、前記ケーシングの端部に被装されたヘッドキャップと、一端部が前記ヘッドキャップに固定され他端部が前記塩素除去フィルタの中空部の一端側に挿入された筒体と、前記筒体の側面に開口した筒体通水部と、前記筒体の内側又は外側に配設され手動又は電動で回動又は上下動する弁体と、を備え、前記弁体は、前記筒体通水部と前記中空部とを連通するバイパス路の開閉度を変え、前記バイパス路の閉時に前記流入側配管から流入した水道水の全部が前記塩素除去フィルタを通過し、開時に水道水の一部が前記塩素除去フィルタを通過しないで前記バイパス路を通過して前記塩素除去フィルタを通過した水道水とともに前記流出側配管から流出するものであることを特徴とする浄水器。
【請求項２】
前記弁体が前記筒体の内側を回動可能な筒状に形成され、前記弁体の側面に前記筒体通水部と連通する弁体通水部が形成されていることを特徴とする請求項１に記載の浄水器。
【請求項３】
前記筒体の外側に配設された異物除去フィルタを備えていることを特徴とする請求項１又は２に記載の浄水器。
【発明の詳細な説明】
【技術分野】
【０００１】
本発明は、給水栓や水道配管等に取り付けて水を濾過する浄水器に関し、特に、集合住宅や戸建住宅、事業所、学校等の分岐配管の上流やメータボックス，アンダーシンク等の水道配管に取り付け、水をまとめて濾過するために用いられる浄水器に関するものである。
【背景技術】
【０００２】
近年、マンション等の集合住宅や戸建住宅、事業所、学校、幼稚園、動物飼育施設等において、浄水施設からの水道本管と末端の水道機器への分岐配管との間に浄水器を取り付けて、敷地内で使用する水をまとめて濾過する手段を採用するケースが増えている。流し台の給水栓や風呂場用給湯器の注湯口等の末端の水道機器毎に浄水器を設置しなくて済むため経済的であり、さらに水道機器周辺の空間を有効利用できるからである。
しかしながら、上記の浄水器においては、水道水に含まれる塩素を１００％除去してしまうと、蛇口から出る水道水は０．１ｐｐｍ以上の塩素濃度でなければならないという水道法による基準を遵守できないという問題を有していた。また、水道機器が長期間使用されない場合に、塩素をほとんど含まない水道水が分岐配管内に長時間滞留し、腐食や雑菌の発生等のおそれがあるという問題を有していた。
そこで、浄水器を通過した水道水の含有塩素量を確保することを目的として、（特許文献１）に「筒状のケーシングと、前記ケーシング内に設けられた塩素を除去する第１フィルタと、前記ケーシングの上端を遮蔽するヘッドキャップと、前記第１フィルタの上端を遮蔽するとともに前記ヘッドキャップとの間に上部空間を構成し略中央に貫通孔が形成された上板と、を備え、前記上板の周縁と前記ヘッドキャップとの隙間から前記上部空間を経て前記貫通孔に至る流水路をバイパス流路として、前記第１フィルタを通過する水道水の内の所定量が前記バイパス流路を流れるようにした浄水器」が開示されている。
【特許文献１】特許第３３７７７７８号公報
【発明の開示】
【発明が解決しようとする課題】
【０００３】
しかしながら上記従来の技術においては、以下のような課題を有していた。
（１）（特許文献１）に開示の技術では、上板の下面で第１フィルタの上端を嵌合することにより、第１フィルタをケーシングと間隙を設けてケーシング内に固定している。第１フィルタを固定するための上板は、本浄水器の必須の部品なので、部品点数が多く生産性に欠ける。また、一定期間使用して目詰まりが生じた第１フィルタを新しいものと交換する際には、ケーシングからヘッドキャップを取外し、さらに上板を取外さなければならないため、第１フィルタの交換作業が煩雑で作業性に欠けるという課題を有していた。
（２）ケーシングと第１フィルタとの間隙を上昇する水道水の一部は、上縁の外縁とヘッドキャップとの当接部の隙間から上部空間に流入するが、上縁の外縁とヘッドキャップとの当接部の隙間が狭いことから、バイパス流路を流れる水道水の流量は少ない。そのため、浄水器を一定期間使用し第１フィルタに目詰まりが生じると、第１フィルタを通過する水量が減るが、バイパス流路を通過する水量はもともと少ないので使用できる水の量が少なくなり、第１フィルタを新しいものと交換するまでの間、末端の水道機器から取り出すことのできる水量が少なくなるという課題を有していた。
（３）第１フィルタに目詰まりが生じてもバイパス流路を通過する水量は少ないので、第１フィルタに大きな動水圧が加わり、第１フィルタが変形したり破損したりするおそれがあるという課題を有していた。
（４）第１フィルタが目詰まりしても必要な水量を確保し、さらに第１フィルタに加わる動水圧を抑制するため、浄水器の流入側配管と流出側配管の間を接続したバイパス配管と、バイパス配管に配設された開閉弁と、を備えたバイパス器具を設けることが行われている。このバイパス器具は、浄水器の通常使用時には開閉弁を閉止し、フィルタの目詰まり時に開閉弁を開弁することにより、第１フィルタへの通水を回避するものである。しかし、浄水器の外にバイパス器具を配置するための広いスペースを要するとともに、配管や配置工事に係る工数を要し施工性に欠けるという課題を有していた。
（５）（特許文献１）に係る浄水器のバイパス流路を流れる水道水は、第１フィルタを通過しないで第１フィルタの中空部に流入する。第１フィルタの中空部内には、セラミック粒が収容されたセラミックフィルタが配置されているため、バイパス流路を通過した水道水はセラミックフィルタに流入する。セラミック粒が収容されたセラミックフィルタは、錆やゴミ等の異物を捕捉する能力がないため、水道水に錆やゴミ等の異物が含まれている場合、異物はセラミックフィルタのセラミック粒間を通過し、浄水器の下流の配管に接続された水道機器や給湯機に流出してしまうという課題を有していた。特に、エコキュート等の電気給湯機は、錆等の異物が故障の原因になり易いという課題を有していた。
【０００４】
本発明は上記従来の課題を解決するもので、残留塩素濃度の調整を精度良く行うことができるとともに、部品点数を削減して生産性を高めることができ、また一定期間使用した塩素除去フィルタの交換作業が容易で交換作業性に優れ、また塩素除去フィルタに目詰まりが生じて水量が減ったときでも、新しい塩素除去フィルタに交換するまでの間、別途のバイパス機器を配置することなく末端の水道機器に必要な水量を確保する応急措置が可能で、さらに目詰まりした塩素除去フィルタに加わる動水圧を抑制でき、塩素除去フィルタの変形や破損を防止できる浄水器を提供することを目的とする。
【課題を解決するための手段】
【０００５】
上記従来の課題を解決するために本発明の浄水器は、以下の構成を有している。
本発明の請求項１に記載の浄水器は、水道水の流入側配管が接続されたケーシングと、前記ケーシング内に配設され前記流入側配管から流入した水道水の全部又は一部の塩素を除去する筒状の塩素除去フィルタと、前記ケーシングに接続され水道水が流出する流出側配管と、前記ケーシングの端部に被装されたヘッドキャップと、一端部が前記ヘッドキャップに固定され他端部が前記塩素除去フィルタの中空部の一端側に挿入された筒体と、前記筒体の側面に開口した筒体通水部と、前記筒体の内側又は外側に配設され手動又は電動で回動又は上下動する弁体と、を備え、前記弁体は、前記筒体通水部と前記中空部とを連通するバイパス路の開閉度を変え、前記バイパス路の閉時に前記流入側配管から流入した水道水の全部が前記塩素除去フィルタを通過し、開時に水道水の一部が前記塩素除去フィルタを通過しないで前記バイパス路を通過して前記塩素除去フィルタを通過した水道水とともに前記流出側配管から流出するものである構成を有している。
この構成により、以下のような作用が得られる。
（１）一端部がヘッドキャップに固定され他端部が塩素除去フィルタの中空部の一端側に挿入された筒体を備えているので、筒体で塩素除去フィルタの一端部を支持して、塩素除去フィルタをケーシング内の所定位置に配設することができる。このため、（特許文献１）に開示された浄水器の上板のような部品が不要になり、部品点数を削減して生産性を高めることができる。また、一定期間使用して目詰まりが生じた塩素除去フィルタを新しいものと交換する際、ケーシングからヘッドキャップを取外すと、ヘッドキャップに固定された筒体も塩素除去フィルタから抜けるため、塩素除去フィルタを直ちにケーシングの外に取り出すことができる。このため、塩素除去フィルタの交換作業が容易で作業性に優れる。
（２）ケーシング内に通水された水道水の一部は、弁体により筒体のバイパス路が開口しているときに中空部へ達する。（特許文献１）に開示された浄水器の上板のような、ケーシングと塩素除去フィルタとの間隙から筒体通水部に至るまでの水路を狭くする障害がないため、バイパス路の開閉度に応じた水量を中空部へ流入させて残留塩素濃度を調整することができる。さらに、浄水器を一定期間使用し塩素除去フィルタに目詰まりが生じて塩素除去フィルタを通過する水量が減ったときは、塩素除去フィルタを新しいものと交換するまでの間、バイパス路を大きく開口させることにより、末端の水道機器に必要な水量を確保する応急措置が可能となる。このように、残留塩素濃度の調整と目詰まり時の応急措置を、ケーシング内に配設された筒体と弁体の機構一つで容易に行うことができ操作性に優れるとともに、ケーシングの外に応急措置用のバイパス器具を別途設ける必要がないため、バイパス器具の配置スペース及び配置工事に係る工数を削減できる。
塩素除去フィルタは濾材（活性炭等）の塩素除去能力の低下や目詰まりが経時的に生じるため、塩素除去フィルタからの塩素の漏洩量が経時的に増加し、塩素除去フィルタの通水量が減りバイパス路を流れる水量が経時的に増加する。このため、浄水の残留塩素濃度が次第に増加する傾向がみられる。本発明の浄水器では、筒体と弁体の機構一つで残留塩素濃度の調整を精度良く行うことができるので、使用者自身やメンテナンスを行う者の調整作業負担が少なく、所望する残留塩素濃度の浄水を常に得ることができる。
（３）塩素除去フィルタに目詰まりが生じたときにバイパス路を大きく開口させることにより、塩素除去フィルタに加わる動水圧を抑制できるため、塩素除去フィルタが変形したり破損したりすることを防止できる。
【０００６】
ここで、ケーシングとしては、ステンレス鋼等の合金鋼、めっき鋼板、ポリアセタール製，ポリカーボネート製，ＡＢＳ製等の合成樹脂等で、断面が円形，楕円形，多角形等の筒状に形成されたものが用いられる。
【０００７】
塩素除去フィルタとしては、繊維状や粒状の活性炭等の塩素除去能を有する濾材を備えたものが用いられる。さらに、鉛等の重金属を捕捉するイオン交換樹脂、鉄錆を除去する焼成砂、鉱石等も濾材とともに用いることができる。
塩素除去フィルタとしては、カートリッジタイプだけでなく、ケーシング内に濾材を充填したものも用いることができる。
カートリッジタイプの塩素除去フィルタとしては、中空部を有する筒状に形成されたものが好適に用いられる。堅牢にするため、塩素除去フィルタの端面に通水性を有さない硬質のキャップを被着することができる。塩素除去フィルタの外周面と中空部との間を水道水が流れる間に濾過されるため、濾過面積が広いからである。キャップは合成樹脂製や金属製等で形成されたものを用いることができる。
【０００８】
ヘッドキャップとしては、ケーシングの端面を閉塞し、塩素除去フィルタの交換時に取外すことができるように形成されていれば、特に制限なく用いることができる。例えば、ステンレス鋼等の合金鋼、めっき鋼板、ポリアセタール製，ポリカーボネート製，ＡＢＳ製等の合成樹脂等で、平板状、湾出状等に形成されたものを用いることができる。
【０００９】
筒体としては、ステンレス鋼等の合金鋼、めっき鋼板、ポリアセタール製，ポリカーボネート製，ＡＢＳ製等の合成樹脂等で、断面が円形等の筒状や球状等に形成されたものが用いられる。
筒体の側面には、１乃至複数個の貫通孔若しくは切欠き等により筒体通水部が形成される。筒体通水部の数や形状、貫通孔の面積や切欠きの大きさとしては、水道水の流量や塩素濃度等を考慮して適宜選択して決定することができる。
【００１０】
弁体としては、筒体の内側又は外側に配設され、回動又は上下動することにより、塩素除去フィルタの中空部と連通する筒体のバイパス路の開閉度を変えることができるものであれば、特に制限なく用いることができる。例えば、ボール弁、バタフライ弁、コック、アングル弁等で使用される種々の弁体を用いることができる。
弁体は、手動で回動又は上下動させるものを用いることができる。手動で弁体を回動又は上下動させるため、弁体に連結したハンドル、レバー、つまみ等の操作部を、ヘッドキャップやケーシングの外側に設けることができる。また、弁体の操作を、電動式や遠隔操作可能なようにすることもできる。
【００１１】
本発明の請求項２に記載の発明は、請求項１に記載の浄水器であって、前記弁体が前記筒体の内側を回動可能な筒状に形成され、前記弁体の側面に前記筒体通水部と連通する弁体通水部が形成された構成を有している。
この構成により、請求項１で得られる作用に加え、以下のような作用が得られる。
（１）弁体を回動させて筒体通水部と弁体通水部が重なり合う面積を調整することにより、バイパス路の開閉度を簡単に正確に調整できるため、残留塩素濃度の調整精度が高く、さらに操作が容易であるとともに弁体まわりをコンパクト化することもできる。
【００１２】
ここで、弁体通水部としては、貫通孔、切欠き等が用いられる。弁体通水部を有する弁体としては、ボール弁、コック等で使用される球状や管状等に形成されたものを用いることができる。
【００１３】
本発明の請求項３に記載の発明は、請求項１又は２に記載の浄水器であって、前記筒体の外側に配設された異物除去フィルタを備えた構成を有している。
この構成により、請求項１又は２で得られる作用に加え、以下のような作用が得られる。
（１）筒体通水部を通過する水道水に錆やゴミ等の異物が含まれている場合でも、筒体の外側に異物除去フィルタが配設されているので、異物を浄水器内に捕捉することができ、浄水器の下流の配管に接続された水道機器や給湯機等に異物が流出するのを防止でき、異物が飲料水に混入するのを防止できるとともに、異物による水道機器や給湯機等の故障を未然に防ぐことができる。
（２）筒体の外側に配設されているので、塩素除去フィルタを交換するためにヘッドキャップを取外したときに、異物除去フィルタも取外して簡単に交換することができ交換作業性に優れる。
（３）バイパス路を完全に閉止したときでも、塩素除去フィルタを通過していない水道水（塩素濃度が高く雑菌の繁殖を防止する）が常に異物除去フィルタに接触しているため、異物除去フィルタを衛生的に保つことができる。
【００１４】
ここで、異物除去フィルタとしては、連続した微細孔を有するセラミック多孔体、合成樹脂製の不織布等で環状等に形成されたものが用いられ、約１〜１０μｍ以上の錆等の異物を捕捉することができる。なお、異物除去フィルタの種類や目開きは、水質や通水量等の条件に応じて適宜選択できる。
【発明の効果】
【００１５】
以上のように、本発明の浄水器によれば、以下のような有利な効果が得られる。
請求項１に記載の発明によれば、
（１）筒体で塩素除去フィルタの一端部を支持して、塩素除去フィルタをケーシング内の所定位置に配設することができるため、部品点数を削減して生産性を高めることができ、また、塩素除去フィルタを新しいものと交換するためにケーシングからヘッドキャップを取外すと、ヘッドキャップに固定された筒体も塩素除去フィルタから抜けるため、塩素除去フィルタの交換作業が容易で作業性に優れた浄水器を提供できる。
（２）バイパス路の開閉度に応じた水量を中空部へ流入させることができるため、塩素除去フィルタに目詰まりが生じて塩素除去フィルタを通過する水量が減ったときは、塩素除去フィルタを新しいものと交換するまでの間、バイパス路を大きく開口させることにより、末端の水道機器に必要な水量を確保する応急措置が可能な浄水器を提供できる。
（３）塩素除去フィルタに目詰まりが生じたときにバイパス路を大きく開口させることにより、塩素除去フィルタに加わる動水圧を抑制できるため、塩素除去フィルタが変形したり破損したりすることを防止できる浄水器を提供できる。
（４）残留塩素濃度の調整と目詰まり時の応急措置を、ケーシング内に配設された筒体と弁体の機構一つで行うことができ操作性に優れるとともに、残留塩素濃度の調整を精度良く行うことができ、さらにケーシングの外に応急措置用のバイパス器具を別途設ける必要がないため、バイパス器具の配置スペース及び配置工事に係る工数を削減できる浄水器を提供できる。
【００１６】
請求項２に記載の発明によれば、請求項１の効果に加え、
（１）弁体を回動させて筒体通水部と弁体通水部が重なり合う面積を調整することにより、バイパス路の開閉度を簡単に正確に調整できるため、残留塩素濃度の調整精度が高く、さらに操作が容易であるとともに弁体まわりをコンパクト化することのできる浄水器を提供できる。
【００１７】
請求項３に記載の発明によれば、請求項１又は２の効果に加え、
（１）筒体通水部を通過する水道水に錆やゴミ等の異物が含まれている場合でも、筒体の外側に異物除去フィルタが配設されているので、異物を浄水器内に捕捉することができ、浄水器の下流の配管に接続された水道機器や給湯機等に異物が流出するのを防止でき、異物が飲料水に混入するのを防止できるとともに、異物による水道機器や給湯機等の故障を未然に防ぐことのできる浄水器を提供できる。
（２）筒体の外側に配設されているので、塩素除去フィルタを交換するためにヘッドキャップを取外したときに、異物除去フィルタも取外して簡単に交換することができ交換作業性に優れた浄水器を提供できる。
（３）バイパス路を完全に閉止したときでも、塩素除去フィルタを通過していない水道水が常に異物除去フィルタに接触しているため、異物除去フィルタを衛生的に保つことができる衛生性に優れた浄水器を提供できる。
【発明を実施するための最良の形態】
【００１８】
以下、本発明を実施するための最良の形態を、図面を参照しながら説明する。
（実施の形態１）
図１は本発明の実施の形態１における浄水器の要部断面図であり、図２は実施の形態１における浄水器のヘッドキャップ近傍の要部断面図であり、図３は図２のＡ−Ａ線における断面図であり、図４は実施の形態１の変形例における浄水器のヘッドキャップ組み立て時の筒体近傍の要部断面図であり、図５は実施の形態１の他の変形例における浄水器のヘッドキャップ組み立て時の筒体近傍の要部断面図である。
図１において、１は本発明の実施の形態１における浄水器、２は合金鋼やめっき鋼板等で断面が円形，楕円形，多角形等の筒状に形成されたケーシング、３は合金鋼やめっき鋼板等で形成されケーシング２の一端部に溶接等で気密に固着されケーシング２の一端部を閉塞させるとともにケーシング２を立設させる底板、４はケーシング２の他端部の外周面の側方に張り出したフランジ、５はフランジ４の上面に配設された板状のパッキン、６は合金鋼やめっき鋼板等で平板状に形成されパッキン５を介してケーシング２の端部に被装されたヘッドキャップ、７はヘッドキャップ６及びパッキン５を貫通しフランジ４と締結する締結具、８はケーシング２の底板３近くに接続された水道水の流入側配管、９は流入側配管８と対向してケーシング２の底板３近くに接続された水道水の流出側配管、１０は一端が流出側配管９に接続され上向きに屈曲してケーシング２内に延設された底部配管、１１は底部配管１０の他端に接続されケーシング２の内周面の略中心に配設されたフィルタ支持管、１２はフィルタ支持管１１の外周面に張り出して鍔状に形成されたフィルタ支持部、１３はフィルタ支持管１１の外周面に形成された溝部に装着されたＯリング等のパッキンである。
【００１９】
１４は不織布等で形成された通水性を有する筒体に活性炭等の塩素除去能を有する濾材が収容されておりケーシング２の内側に同心状に配設された筒状の塩素除去フィルタ、１４ａはケーシング２の内周面と塩素除去フィルタ１４の外周面との間に形成された間隙、１５は塩素除去フィルタ１４の略中心に形成された断面が略円形状の中空部、１６は合成樹脂製や金属製等で形成され塩素除去フィルタ１４と中空部１５の下端部に被着され中空部１５に挿入したフィルタ支持管１１のフィルタ支持部１２に当接しパッキン１３に密接した硬質のキャップ、１７は合成樹脂製や金属製等で形成され塩素除去フィルタ１４と中空部１５の上端部に被着された硬質の上端側のキャップ、１８は外径が中空部１５に被着されたキャップ１７の内径より大きめに形成され端部がヘッドキャップ６の内面に当接して固定された断面が円形状の筒体、１９は筒体１８の側面に形成された矩形状の貫通孔からなる筒体通水部、１９ａは筒体通水部１９により側面が開口した筒体１８内に形成されたバイパス路、２０は筒体１８の他端側が縮径して筒体１８の外周面に段差状に形成されキャップ１７に当接したフィルタ支持部、２１は筒体１８の他端側が縮径して筒体１８の内周面に段差状に形成された弁体支持部、２２はフィルタ支持部２０及び弁体支持部２１から延設され中空部１５の上端部に被着されたキャップ１７に挿入した筒体１８のフィルタ支持管、２３はフィルタ支持管２２の外周面に形成された溝部に装着されキャップ１７の内周面に密接したＯリング等のパッキン、２４は外周面が筒体１８の内周面に摺接し下端部が弁体支持部２１に摺接し下端面が開口して筒体１８内の水平面を回動可能に形成されバイパス路１９ａの開閉を行うコック型の弁体、２５は弁体２４の側面に形成された矩形状の貫通孔からなる弁体通水部、２６はセラミック多孔体や不織布等で環状に形成され筒体１８の外周面に接して配設された異物除去フィルタ、２７はヘッドキャップ６に形成された空気抜き孔、２８は空気抜き孔２７に挿着され空気抜き孔２７を開閉するボルト状弁、２９は弁体２４に連結されヘッドキャップ６の外面に配設された操作部としてのつまみである。
【００２０】
図２において、３０はヘッドキャップ６の略中心部に形成された連結用孔部、３１はつまみ２９の略中心部に形成された貫通孔、３２はヘッドキャップ６の内面と摺接する弁体２４の基部、３３は基部３２から延設してヘッドキャップ６の貫通孔３０に挿通された弁棒、３４は弁棒３３の外周面に形成された溝部に装着され連結用孔部３０の内周面に密接するＯリング等のパッキン、３５は貫通孔３１から挿入されて弁棒３３の頂部に挿着されつまみ２９を弁棒３３に固定する螺子等の固定部材である。
図３において、３６は筒体１８の側面を貫通して形成された孔部、３７は孔部３６に嵌入され孔部３６の外面側を閉塞する閉塞部材、３８は閉塞部材３７で閉塞された孔部３６に収縮させた状態で収容したスプリング等の弾性部材、３９は弾性部材３８の先端に配設され弾性部材３８により弁体２４側に付勢された球状やピン状等の可動突起、４０は弁体２４の外周面の所定個所に窪み状に形成され可動突起３９が係合し筒体通水部１９を所定量開口させた位置で弁体２４を停止させる受け部、４０ａは受け部４０の水平面上の弁体２４の外周面に形成され可動突起３９が係合し筒体通水部１９を最大に開口させた位置で弁体２４を停止させる受け部、４０ｂは受け部４０の水平面上の弁体２４の外周面に形成され可動突起３９が係合し筒体通水部１９を閉止させる位置で弁体２４を停止させる受け部である。矢印は水道水が筒体通水部１９を通過する水路を示している。
【００２１】
図４において、１８ａは実施の形態１の変形例における断面が円形状の筒体、１８ｂはヘッドキャップ６に形成された連通用孔部３０に挿入され筒体１８ａを固定する基部、１８ｃは筒体１８ａの基部１８ｂを貫通して形成された孔部、２２ａは筒体１８ａの下端部のフィルタ支持管、２４ａは孔部１８ｃに弁棒３３を貫通させて筒体１８ａ内に回動自在に保持された実施の形態１の変形例における弁体である。
実施の形態１の変形例における筒体１８ａ及び弁体２４ａが実施の形態１と異なる点は、筒体１８ａの内周面が平坦状に形成されていて、弁体支持部２１が形成されていない点である。これにより、弁体２４ａを新しいものと交換したい場合には、古い弁体２４ａを筒体１８ａのフィルタ支持管２２ａから簡単に抜き取ることができ、メンテナンス性に優れる。
【００２２】
図５において、１８ｄは実施の形態１の他の変形例における断面が円形状の筒体、１８ｅはヘッドキャップ６に形成された連通用孔部３０に一部が挿入され筒体１８ｄを固定する基部、１８ｆは筒体１８ｄの基部１８ｅを貫通して形成された孔部、２４ｂは孔部１８ｆに弁棒３３を貫通させて筒体１８ｄ内に上下動可能に保持された実施の形態１の他の変形例における弁体、２５ａは弁体２４ｂの上部側の側面に形成された複数の貫通孔からなる弁体通水部、２５ｂは弁体通水部２５ａの少し下側の弁体２４ｂの側面に弁体通水部２４ｂの内径よりも少し大きめに形成された複数の貫通孔からなる弁体通水部、２５ｃは弁体通水部２５ｂの少し下側の弁体２４ｂの側面に弁体通水部２５ｂの内径よりも大きめで筒体通水部１９の内径と略同一径に形成された複数の貫通孔からなる弁体通水部である。
実施の形態１の他の変形例における筒体１８ｄ及び弁体２４ｂが実施の形態１と異なる点は、弁体２４ｂが筒体１８ｄ内を回動することなく上下動可能に形成されている点、弁体２４ｂに複数の貫通孔からなり内径が異なる弁体通水部２５ａ，２５ｂ，２５ｃが形成されている点である。これにより、つまみ２９を一杯まで下げたときには筒体通水部１９を閉止することができ、つまみ２９を上げるにつれて、流出側配管９から流出する水道水の残留塩素濃度を上昇させることができ、つまみ２９を一杯まで上げたときには、筒体通水部１９を最大に開口させることができる。
【００２３】
以上のように構成された本発明の実施の形態１における浄水器について、以下その使用方法を説明する。
まず、浄水器１をマンション等の集合住宅のメータボックス等に搬入し、浄水施設からの水道本管と末端の水道機器への分岐配管との間に取り付ける。その際、流入側配管８を水道本管側に接続し、流出側配管９を分岐配管側に接続する。
浄水器１のつまみ２９を回動して受け部４０ｂで可動突起３９を係合し、筒体１８の筒体通水部１９を弁体２４で完全に閉塞するとともに、ボルト状弁２８を用いて空気抜き孔２７を開弁した後、流入側配管８から水道水を浄水器１内に流入させる。浄水器１内に流入した水道水は、浄水器１内の間隙１４ａやヘッドキャップ６の内側に溜まった空気を空気抜き孔２７から追い出しながら間隙１４ａを上昇する。浄水器１内の空気が追い出されたら、ボルト状弁２８を用いて空気抜き孔２７を閉止する。水道水は間隙１４ａから塩素除去フィルタ１４に浸入し、中空部１５に流入する間に塩素がほぼ１００％除去される。中空部１５に流入した塩素をほとんど含まない水道水は、フィルタ支持管１１、底部配管１０を通って流出側配管９から流出する。
流出側配管９から流出する水道水の残留塩素濃度を増やすときには、浄水器１のつまみ２９を回動して受け部４０で可動突起３９を係合し、筒体１８の筒体通水部１９に弁体２４の弁体通水部２５を所定量重なり合わせ、筒体通水部１９を所定の面積だけ開口させる。これにより、間隙１４ａを上昇した水道水の一部は、異物除去フィルタ２６、筒体通水部１９、弁体通水部２５、バイパス路１９ａを通過して、フィルタ支持管２２から塩素除去フィルタ１４を通過せずに中空部１５に流入する。この結果、筒体通水部１９の開口度に応じた残留塩素濃度の水道水を流出側配管９から流出させることができる。なお、受け部４０と可動突起３９とが係合しない位置においては、弁体２４の回動角度に応じて流出側配管９からの水道水の残留塩素濃度を自由に変えることができる。
浄水器１を一定期間使用して塩素除去フィルタ１４に目詰まりが生じ、流出側配管９から流出する水量が減ったときは、塩素除去フィルタ１４を新しいものと交換することにより初期の水量に戻すことができる。しかし、新しい塩素除去フィルタ１４を手元に用意していなかった等により直ちに新しいものと交換できない場合であって、豊富な水量が必要な場合は、浄水器１のつまみ２９を回動して受け部４０ａで可動突起３９を係合し、筒体１８の筒体通水部１９と弁体２４の弁体通水部２５との重なりを最大に増やし、筒体通水部１９を通過できる水量を最大に設定する応急措置を行う。これにより、塩素除去フィルタ１４を通過せずに中空部１５に流入する水量が増えるため、流出側配管９からの水道水の流出量を増やすことができる。
【００２４】
以上のように、本発明の実施の形態１における浄水器は構成されているので、以下のような作用が得られる。
（１）一端部がヘッドキャップ６に固定され、他端部のフィルタ支持管２２が塩素除去フィルタ１４の中空部１５の一端側に挿入された筒体１８を備えているので、筒体１８のフィルタ支持管２２で塩素除去フィルタ１４の一端部を支持して、塩素除去フィルタ１４をケーシング２の所定位置に安定に支持することができる。このため、（特許文献１）に開示された浄水器の上板のような部品が不要になり、部品点数を削減して生産性を高めることができる。
（２）フィルタ支持管２２には段差状に張り出したフィルタ支持部２０が形成されているので、塩素除去フィルタ１４の上方向への移動や振動を抑え、塩素除去フィルタ１４をケーシング２内に安定に固定できる。
（３）筒体１８及び弁体２４はヘッドキャップ６の内面に固定されているので、一定期間使用した塩素除去フィルタ１４を新しいものと交換する際、ケーシング２からヘッドキャップ６を取外すと、ヘッドキャップ６に固定された筒体１８のフィルタ支持管２２も塩素除去フィルタ１４の中空部１５から抜けるため、塩素除去フィルタ１４は下部にフィルタ支持管１１が挿入されて支持されただけの状態になり、塩素除去フィルタ１４を直ちにケーシング２の外に取り出すことができる。このため、塩素除去フィルタ１４の交換作業が容易で交換作業性に著しく優れる。
（４）ケーシング２と塩素除去フィルタ１４との間隙１４ａを上昇した水道水の一部は、弁体２４により筒体１８の筒体通水部１９が開口しているときに、筒体通水部１９を通って中空部１５へ達する。（特許文献１）に開示された浄水器の上板のような、ケーシング２と塩素除去フィルタ１４との間隙１４ａから筒体通水部１９に至るまでの水路を狭くする障害がないため、筒体通水部１９の開口度に応じた水量を中空部１５へ流入させることができる。そのため、浄水器１を一定期間使用し塩素除去フィルタに目詰まりが生じて流出用配管９から流出する水量が減ったときは、塩素除去フィルタ１４を新しいものと交換するまでの間、筒体通水部１９を大きく開口させることにより、流出用配管９から流出する水量を多くする応急措置が可能となる。また、塩素除去フィルタ１４に目詰まりが生じたときに筒体通水部１９を大きく開口させることにより、塩素除去フィルタ１４に加わる動水圧を抑制できるため、塩素除去フィルタ１４が変形したり破損したりすることを防止できる。
（５）カートリッジタイプの塩素除去フィルタ１４の両端面及び中空部１５の端部にキャップ１６，１７が被着されているので、フィルタ支持管１１，１２を両側から中空部１５内に挿入し、フィルタ支持部１２，２０をキャップ１６，１７に当接させ、両側から塩素除去フィルタ１４を挟んで支持することができる。また、キャップ１６，１７にパッキン１３，２３が密接されるため、中空部１５に流入した水道水がフィルタ支持管１１の外に漏洩することがなく、残留塩素濃度を精度良く調整することができる。また、塩素除去フィルタ１４の外周面から中空部１５へ水道水が流れる間に濾過されるため、濾過面積が広く濾過効率が高い。
（６）弁体２４が筒体１８の内側を回動可能な筒状のコック型に形成され、弁体２４の側面に弁体通水部２５が形成されているので、弁体２４を回動させて筒体通水部１９と弁体通水部２５が重なり合う面積を調整することにより、バイパス路１９ａの開閉度を簡単に正確に調整でき、つまみ２９の回動角度とバイパス路１９ａを流れる水量が比例するので、流出側配管９から流出する水道水の残留塩素濃度の調整精度が高く、また操作が容易であるとともに弁体まわりをコンパクト化することができる。
（７）筒体１８に弁体支持部２１が形成されているので、弁体支持部２１で弁体２４の端部を支持して、筒体１８内の弁体２４を安定に回動することができる。
（８）バイパス路１９ａの全開・全閉位置や、弁体２４を所定の回動角度にする位置に、可動突起３９が係合する受け部４０，４０ａ，４０ｂが形成されているので、つまみ２９にうっかり触れて弁体２４の回動角度が変わってしまうような不具合を防止できる。
（９）筒体１８の外側に異物除去フィルタ２６が配設されているので、筒体通水部１９を通過する水道水に錆やゴミ等の異物が含まれている場合でも、流出側配管９から異物が流出するのを防止できる。
（１０）異物除去フィルタ２６が筒体１８の外側に配設されているので、塩素除去フィルタ１４を交換するためにヘッドキャップ６を取外したときに、異物除去フィルタ１４も一緒に取外して簡単に交換することができ交換作業性に優れる。
（１１）バイパス路１９ａを完全に閉止したときでも、塩素除去フィルタ１４を通過していない水道水が常に異物除去フィルタ２６に接触しているため、異物除去フィルタ２６に雑菌が繁殖するのを防ぎ衛生的に保つことができる。
（１２）筒体１８の側面の一部に筒体通水部１９が形成されており、環状の異物除去フィルタ２６が筒体１８の側面全体に装着されているので、異物除去フィルタ２６の筒体通水部１９に相当する箇所に目詰まりが生じたら、異物除去フィルタ２６を回転させて目詰まりが生じた部分を筒体通水部１９から外すことで、異物除去フィルタ２６を長期間使用することもできる。
（１３）残留塩素濃度の調整と目詰まり時の応急措置を、ケーシング２内に配設された筒体１８と弁体２４の機構一つで行うことができ操作性に優れるとともに、残留塩素濃度の調整を精度良く行うことができ、さらにケーシング２の外に応急措置用のバイパス器具を別途設ける必要がないため、バイパス器具の配置スペース及び配置工事に係る工数を削減できる。
【００２５】
ここで、本実施の形態においては、弁体２４がつまみ２９で回動できるような場合について説明したが、つまみ２９に代えて、レバーやハンドル等により回動できるようにする場合もある。この場合も同様の作用が得られる。
また、筒体通水部１９、弁体通水部２５が貫通孔の場合について説明したが、貫通孔だけでなく、切欠き状に形成する場合もある。この場合も同様の作用が得られる。
また、弁体２４を筒体１８の内側に配設した場合について説明したが、内径が筒体１８の外径よりも大きな環状の弁体を用いることにより、弁体を筒体１８の外側に配設し筒体１８の外周面に摺接して筒体１８の筒体通水部１９の開口度を可変にする場合もある。この場合も同様の作用が得られる。なお、この場合でも、異物除去フィルタ２６を弁体の外側に配設するのが望ましい。異物除去フィルタ１４の交換作業性を高めるためである。
また、弁体２４が回動可能な筒状のコック型に形成された場合について説明したが、ボール弁型、バタフライ弁型等の種々の弁体を用いることができる。
【００２６】
（実施の形態２）
図６は本発明の実施の形態２における浄水器のヘッドキャップ近傍の要部断面図である。なお、実施の形態１で説明したものと同様のものは、同じ符号を付して説明を省略する。
図中、４１は実施の形態２における浄水器、４２は合成樹脂製や金属製等で形成され塩素除去フィルタ１４と中空部１５の上端部に被着された硬質のキャップ、４３は塩素除去フィルタ１４の中空部１５から外側にキャップ４２の略中心から環状に突出した突出部である。突出部４３が形成されたキャップ４２が塩素除去フィルタ１４の端面に被着されているので、塩素除去フィルタ１４の中空部１５は突出部４３の分だけ延長されている。４４は外径が中空部１５に被着されたキャップ４２の突出部４３の内径より大きめに形成され一端部がヘッドキャップ６の内面に当接して固定された断面が円形状の筒体、４５は筒体４４の側面に形成された矩形状や円形状等の貫通孔からなる筒体通水部、４５ａは筒体通水部４５により側面が開口した筒体４４内に形成されたバイパス路、４６は筒体４４の他端側が縮径して筒体４４の外周面に段差状に形成されキャップ４２の突出部４３の端部に当接したフィルタ支持部、４６ａは筒体通水部４５より下方の筒体４４内に形成された弁座、４７はフィルタ支持部４６から延設され中空部１５を延長した突出部４３に挿入した筒体４４のフィルタ支持管、４８はフィルタ支持管４７の外周面に形成された溝部に装着されキャップ４２の突出部４３の内周面に密接したＯリング等のパッキン、４９は筒体４４内を上下動し下降位置で弁座４６ａに当接してバイパス路４５ａを閉止するアングル弁型の弁体、５０は弁体４９から延設された弁棒、５１はヘッドキャップ６の内面に固定され弁棒５０と螺合する螺子部、５２はヘッドキャップ６の略中心部に形成され弁棒５０が貫通した連結用孔部、５３は連結用孔部５２の内周面に形成された溝部に装着され弁棒５０の外周面に密接するＯリング等のパッキン、５４は弁棒５１の端部に取り付けられた操作部としてのハンドル、５５はセラミック多孔体や不織布等で環状に形成され筒体４４の外周面に接して配設された異物除去フィルタである。
【００２７】
以上のように構成された実施の形態２における浄水器が実施の形態１における浄水器と異なる点は、キャップ４２に突出部４３が形成されており塩素除去フィルタ１４の中空部１５が突出部４３の分だけ延長されている点、ハンドル５４を回動することにより筒体４４内を上下動するアングル弁型の弁体４９を用いている点である。
本発明の実施の形態２における浄水器においても、実施の形態１に記載した作用と同様の作用が得られる。
【００２８】
（実施の形態３）
図７は本発明の実施の形態３における浄水器の要部断面図である。なお、実施の形態１で説明したものと同様のものは、同じ符号を付して説明を省略する。
図中、６１は本発明の実施の形態３における浄水器、６２はヘッドキャップ６に接続された水道水の流入側配管、６３はケーシング２の底板３近くに接続された水道水の流出側配管、６４はステンレス鋼等の合金鋼、めっき鋼板、ポリアセタール製，ポリカーボネート製，ＡＢＳ製等の合成樹脂等で格子状等に形成され流出側配管６３より上側の底板３近くのケーシング２の内側全面に配設された通水性を有するフィルタ底板、６５はフィルタ底板６４に形成された中空管挿通孔、６６は一端部が中空管挿通孔６５に固着されケーシング２内に収容され他端部に筒体１８のフィルタ支持管２２が挿入された中空管、６７はフィルタ底板６４の上面に配設され濾材が流出しないように保持する不織布等の濾材保持部、６８は濾材保持部６７，中空管６６，ケーシング２で囲まれた空間内に活性炭等の濾材が充填された塩素除去フィルタ、６９は塩素除去フィルタ６８の上面に配設され濾材が流出しないように保持する不織布等の濾材保持部、７０は塩素除去フィルタ６８内に中空管６６で形成された中空部である。
【００２９】
以上のように構成された実施の形態３における浄水器が実施の形態１における浄水器と異なる点は、塩素除去フィルタ６８がカートリッジタイプでない点、水道水がヘッドキャップ６に接続された流入側配管６２からケーシング２内に流入し、塩素除去フィルタ６８を通過して流出する点である。
本発明の実施の形態３における浄水器では、塩素除去フィルタ６８を交換するのがやや煩雑ではあるが、それ以外は実施の形態１に記載した作用と同様の作用が得られる。
【産業上の利用可能性】
【００３０】
本発明は、給水栓や水道配管等に取り付けて水を濾過する浄水器に関し、特に、マンション等の集合住宅や戸建住宅、事業所、学校、幼稚園、動物飼育施設等の分岐配管の上流やメータボックス，アンダーシンク等の水道配管に取り付け、水をまとめて濾過するために用いられる浄水器に関し、残留塩素濃度の調整を精度良く行うことができるとともに、部品点数を削減して生産性を高めることができ、また一定期間使用した塩素除去フィルタの交換作業が容易で交換作業性に優れ、また塩素除去フィルタに目詰まりが生じて水量が減ったときでも、新しい塩素除去フィルタに交換するまでの間、末端の水道機器に必要な水量を確保する応急措置が可能で、さらに目詰まりした塩素除去フィルタに加わる動水圧を抑制でき、塩素除去フィルタの変形や破損を防止できる浄水器を提供できる。
【図面の簡単な説明】
【００３１】
【図１】実施の形態１における浄水器の要部断面図
【図２】実施の形態１における浄水器のヘッドキャップ近傍の要部断面図
【図３】図２のＡ−Ａ線における断面図
【図４】実施の形態１の変形例における浄水器のヘッドキャップ組み立て時の筒体近傍の要部断面図
【図５】実施の形態１の他の変形例における浄水器のヘッドキャップ組み立て時の筒体近傍の要部断面図
【図６】実施の形態２における浄水器のヘッドキャップ近傍の要部断面図
【図７】実施の形態３における浄水器の要部断面図
【符号の説明】
【００３２】
１，１ａ  浄水器
２  ケーシング
３  底板
４  フランジ
５  パッキン
６  ヘッドキャップ
７  締結具
８  流入側配管
９  流出側配管
１０  底部配管
１１  フィルタ支持管
１２  フィルタ支持部
１３  パッキン
１４  塩素除去フィルタ
１４ａ  間隙
１５  中空部
１６，１７  キャップ
１８，１８ａ，１８ｄ  筒体
１８ｂ，１８ｅ  基部
１８ｃ，１８ｆ  孔部
１９  筒体通水部
１９ａ  バイパス路
２０  フィルタ支持部
２１  弁体支持部
２２  フィルタ支持管
２３  パッキン
２４，２４ａ，２４ｂ  弁体
２５，２５ａ，２５ｂ，２５ｃ  弁体通水部
２６  異物除去フィルタ
２７  空気抜き孔
２８  ボルト状弁
２９  つまみ
３０  連結用孔部
３１  貫通孔
３２  基部
３３  弁棒
３４  パッキン
３５  固定部材
３６  孔部
３７  閉塞部材
３８  弾性部材
３９  可動突起
４０，４０ａ，４０ｂ  受け部
４１  浄水器
４２  キャップ
４３  突出部
４４  筒体
４５  筒体通水部
４５ａ  バイパス路
４６  フィルタ支持部
４６ａ  弁座
４７  フィルタ支持管
４８  パッキン
４９  弁体
５０  弁棒
５１  螺子部
５２  連結用孔部
５３  パッキン
５４  ハンドル
５５  異物除去フィルタ
６１  浄水器
６２  流入側配管
６３  流出側配管
６４  フィルタ底板
６５  中空管挿通孔
６６  中空管
６７，６９  濾材保持部
６８  塩素除去フィルタ
７０  中空部
【要約】
【課題】部品点数を削減して生産性を高めることができ、また一定期間使用した塩素除去フィルタの交換作業が容易で交換作業性に優れ、また塩素除去フィルタに目詰まりが生じて水量が減ったときでも、末端の水道機器に必要な水量を確保する応急措置が可能で、目詰まりした塩素除去フィルタに加わる動水圧を抑制でき、塩素除去フィルタの変形や破損を防止できる浄水器を提供する。
【解決手段】ケーシング２と、中空部１５を有しケーシング２内に配設された塩素除去フィルタ１４と、ケーシング２の端部に被装されたヘッドキャップ６と、一端部がヘッドキャップ６に固定され他端部が塩素除去フィルタ１４の中空部１５の一端側に挿入された筒体１８と、筒体１８の側面に開口しバイパス路１９ａを形成する筒体通水部１９と、筒体１８の内側又は外側に配設されバイパス路１９ａの開閉を行う弁体２４と、を備える。
【選択図】図１【図１】
0004253351.tif 000002
【図２】
0004253351.tif 000003
【図３】
0004253351.tif 000004
【図４】
0004253351.tif 000005
【図５】
0004253351.tif 000006
【図６】
0004253351.tif 000007
【図７】
0004253351.tif 000008